(57)【特許請求の範囲】
【請求項１】
商品の陳列スペースに設置し商品を少なくとも一部に陳列可能な基台と、中段部材及び逆Ｌ字状上段部材で構成する商品載置台とからなり、前記中段部材は前記基台との間に係止部を有し、これにより前記基台と位置決めをすると共に係止し、更に前後方向の一方の側面が段差形状であり、他方の側面が傾斜面であって、上下反転かつ前後反転して使用され、前記逆Ｌ字状上段部材は前記基台及び前記中段部材との間に係止部をそれぞれ有し、これらにより前記基台及び前記中段部材と位置決めすると共に係止して、基台及び商品載置台の形状を変化させ整えると共に、商品を載せてその陳列量を調整可能としたことを特徴とする商品陳列調整台。
【請求項２】
前記逆Ｌ字状上段部材の上面が前記中段部材の上面より高く、段差部が生じるようにした請求項１項記載の商品陳列調整台。
【発明の詳細な説明】
【０００１】
【発明の属する技術分野】
本発明は、主にスーパー、百貨店、専門店、コンビニエンスストアー等の店内で商品を陳列するのに用いられ、商品の特性や商品量により陳列を多面的に変えることができ商品陳列調整台に関する。
【０００２】
【従来の技術】
従来、スーパー等の店内で商品を陳列する方法は、最も単純なものとして、(1)水平の陳列台に仕切りを設け、その仕切りごとに商品を並べたり、台に商品を並べ、この台ごと水平の陳列台に載せたものがある。また、(2)傾斜している陳列台に仕切りや雛壇を設け、その仕切り内や雛壇ごとに商品を並べたり、台に商品を並べこの台ごと直接傾斜の陳列台に載せたものがある。また、(3)水平あるいは傾斜を選択でき、しかも傾斜角も選択でき角度選択型陳列台に仕切りを設けて、その仕切り内ごとに商品を並べたり、台に商品を並べこの台ごと角度選択陳列台に載せたものもある。更に、(4)上記の(2)、(3)の傾斜している陳列台の代わりに、仕切り板や雛壇を予め設けてある商品陳列棚を台に載せ、この仕切り板内や雛壇に直接商品を並べるものもある。これらスーパー等の店内での商品陳列方法は、それにより商品の売れ行きが左右されることが多いから、上記した方法以外にも工夫を凝らし、様々な方法が取られ、その模様替えも頻繁に行われる。
【０００３】
そして、商品は陳列台の手前の方から順次売れるから、時間がたつにつれ陳列台の手前には商品が無くなったり、ごく少量になる。特に生鮮食料品を陳列する場合に上記傾向が顕著となり、客は陳列台の奥の方にある商品を見逃したり、何となく取り辛かったりして、購買意欲が急速に低下し商品の売れ行きに悪い影響を及ぼすことが多くなる。従って、陳列台の奥の方にある商品を店員が手前に移すなどして、陳列商品の存在を維持し、客の購買意欲の低下などの悪影響を排除している。また、最初から陳列商品が少量である場合は、陳列台の仕切りを小さくすることで対応している。
【０００４】
【発明が解決しようとする課題】
上記(1)〜(4)の商品陳列方法では、商品が売れて陳列台の手前の商品が無くなったりごく少量になると、いずれも店員が各種陳列台の奥にある商品を手前に寄せて、上記した悪影響を排除しようとする。しかし、単に商品を手前に寄せるだけでは、陳列商品のボリューム感が無くなりその存在をアピールできなくなり、客の購買意欲を低下させてしまう。このため、商品の陳列量のボリューム感を保持するには、種々の台を置くなどして商品を後ろ支えする必要があり、その作業が煩わしい。また、最初から陳列商品が少量である場合は、上記の各種商品陳列方法では、陳列商品のボリューム感を出しその存在感をアピールすることが難しく、上記と同様に、種々の台を置くなどして商品を後ろ支えする必要があり、その作業が煩わしく、客の購買意欲を高い状態に保持することが難しい。
【０００５】
従って、本発明の目的は、商品の多様化、頻繁な模様替えに対応可能であることに加え、商品の特性や商品量により陳列を極めて容易かつ多面的に変えることができ商品陳列調整台を提供することにある。
【０００６】
【課題を解決するための手段】
かかる実情において、本発明者らは鋭意検討を行った結果、商品の陳列スペースに設置する基台及びこの基台上に係止する商品載置台からなり、この商品載置台を逆Ｌ字状上段部材と中段部材とに分け、これらと基台との間にそれぞれ係止部を設けて、基台と中段部材、基台と逆Ｌ字状上段部材、中段部材と逆Ｌ字状上段部材とでそれぞれ位置決めをすると共に係止すれば、基台及び商品載置台で成す形状を種々変化させ整えることができ、その商品の特性及び陳列量に応じて、ボリューム感を維持しつつ容易に陳列できることを見出し、本発明を完成するに至った。
【０００７】
すなわち、本発明（１）の商品陳列調整台は、商品の陳列スペースに設置し商品を少なくとも一部に陳列可能な基台と、中段部材及び逆Ｌ字状上段部材で構成する商品載置台とからなり、前記中段部材は前記基台との間に係止部を有し、これにより前記基台と位置決めをすると共に係止し、更に前後方向の一方の側面が段差形状であり、他方の側面が傾斜面であって、上下反転かつ前後反転して使用され、前記逆Ｌ字状上段部材は前記基台及び前記中段部材との間に係止部をそれぞれ有し、これらにより前記基台及び前記中段部材と位置決めすると共に係止して、基台及び商品載置台の形状を変化させ整えると共に、商品を載せてその陳列量を調整可能としたことを特徴とする。
【０００８】
また、本発明（２）の商品陳列調整台は、前記逆Ｌ字状上段部材の上面が前記中段部材の上面より高く、段差部が生じるようにしたことを特徴とする。
【０００９】
【発明の実施の形態】
次に、本発明の実施の形態における商品陳列台を図１〜１１に基づいて詳述する。  図１は本発明の実施の形態である商品陳列調整台を示す斜視図、図２は本発明の実施の形態である商品陳列調整台の分割状態を示す斜視図である。両図において、商品陳列調整台１は、商品２（図３参照）の陳列スペースに設置し商品２を少なくとも一部に陳列可能な基台３と、段差付き中段部材４（以下、単に「中段部材」とも言う）及び逆Ｌ字状上段部材（以下、単に「上段部材」とも言う）５で構成する商品載置台６とからなり、中段部材４は基台３との間に係止部７を有し、これにより基台３と位置決めをすると共に係止し、上段部材５は上段部材の縦部材５１が基台３との間で係止部８を、上段部材の横部材５２と中段部材４との間に係止部９をそれぞれ有し、これらにより基台３及び中段部材４と位置決めすると共に係止して、基台３及び商品載置台６の形状を変化させ整えると共に、商品２を載せてその陳列量を調整可能としたものである。
【００１０】
前記基台３は、矩形板１０の上面のほぼ半分に前記係止部７の一方を構成する複数本の線条１１が設けられている。複数本の線条１１は、矩形板１０の上面に所定間隔を有して、互いに平行に形成してなり、後述の中段部材４の連続線条２０とで係止部７を構成し、連続線条２０間にできる溝２１に線条１１を嵌めることで、基台３と中段部材４とは互いに位置決めをすると共に係止する。この複数本の線条１１の反対側の残り半分の矩形板１０上面は、商品２を陳列するのに利用され、更にその縁部には商品転落防止部１２が設けられ、前記商品２の転落が防止されている。なお、矩形板１０の上面のほぼ半分を占めている線条１１のエリアに、商品２を陳列しても何ら差し支えない。
【００１１】
前記商品載置台６は、前述のように、中段部材４及び上段部材５で構成し、これらが互いに係止すると共に、前記基台３にも係止できるようになっている。すなわち、台形箱状物の傾斜面の一方の側が段差付き形状である中段部材４は、その下面の全面にわたり前記係止部７の他方を構成する連続線条２０が設けられ、これらの連続線条２０間には溝２１が形成され、更に、中段部材４の上面２２は平坦であり、その全面にわたり前記係止部８の一方を構成する連続線条２３が設けられ、これらの連続線条２３間には溝２４が形成される。そして、中段部材４の前部は９０度に近い傾斜面２５となり、後部が１以上の段差部２６を有し、この段差部２６は、１つの水平面２７と、その上方及び下方の傾斜面２８及び２９とにより形成し、これらの傾斜面２８及び２９はいずれも前記傾斜面２５とほぼ同じ傾斜である。なお、この実施の形態では、中段部材４の後部に１の段差部２６を有する場合を説明したが、２以上あっても何ら差し支えない。また、中段部材４の上面２２及び段差部２６の水平面２７は商品２の載置面になり、傾斜面２５、２８及び２９はいずれも商品２の後ろ支えになると共に、商品２を陳列した際そのボリューム感を出すのに一役買うことになる。
【００１２】
前記上段部材５は、逆Ｌ字状であり、その横部材５２の前面部及び縦部材５１の後面部が前記中段部材４の傾斜面２５とほぼ同じ傾斜の傾斜面３０及び３１となっていて、その上面３２が平坦をなしている。そして、上段部材５の底面は、前記上面３２とほぼ平行で前記中段部材４の上面２２に載せる横部材５２の裏面である上位底面３３と、前記基台３上に載せる縦部材の裏面である下位底面３４とを有する。この上位底面３３上に前記係止部９の他方を構成する１本の線条３５が設けられ、この線条３５と前述の中段部材４の連続線条２３とで係止部９を構成し、この線条３５を連続線条２３の溝２４に嵌めることで、上段部材５と中段部材４とは互いに位置決めをすると共に係止する。一方、この下位底面３４上に１本の溝３６が設けられ、この溝３６と前記基台３の複数本の線条１１とで前記係止部８を構成し、この線条１１を溝３６に嵌めることで、上段部材５と基台３とは互いに位置決めをすると共に係止する。また、上段部材５の上面３２は商品２の載置面になり、傾斜面３０及び３１はいずれも商品２の後ろ支えになると共に、商品２を陳列した際そのボリューム感を出すのに一役買うことになる。
【００１３】
次に、上記構成を採る商品陳列調整台１の使用方法を以下に説明する。
まず、商品の陳列スペース及び商品に適合する商品陳列調整台１を選定する。図１は最も基本的な使い方であり、中段部材４の傾斜面２５と上段部材５の傾斜面３０を合わせて、中段部材４と上段部材５とを係止して商品載置台６とし、これの後部と基台３の後部とを合わせ、基台３上に商品載置台６を係止して、上段部材５の上面３２と基台３の線条エリアでない矩形板１０上との２段を商品２の載置面とし、上記傾斜面２５と３０とで共同して商品２の後ろ支えとし、且つ商品２のボリューム感を出している。図３に示すように、商品２が大きく且つ陳列量も比較的多くて、ボリューム感も出す場合の陳列に使用される。
【００１４】
図４は図１の商品載置台６を基台３の商品転落防止部１２側に引き寄せて、基台３上に係止したもので、図５に示すように、商品２が大きいが陳列量が少ない場合や、売れて陳列量が減った場合で、且つボリューム感も出したい場合に使用される。
【００１５】
図６は図１の商品載置台６の中段部材４のみを基台３の商品転落防止部１２側に引き寄せて、基台３上に係止したもので、上段部材５の上面３２と中段部材４の上面２２と矩形板１０上との３段を商品２の載置面とし、上記傾斜面２５と３０とが別々に商品２の後ろ支えとし、且つ商品２のボリューム感を出している。図７に示すように、商品２が比較的大きく且つ陳列量も比較的多くて、ボリューム感も出す場合の陳列に使用される。
【００１６】
図８は図１の商品載置台６の中段部材４を上下反転しかつ前後反転し、段差部２６を基台３の商品転落防止部１２側に向け引き寄せて、基台３上に係止したもので、上段部材５の上面３２と中段部材４の上面２２及び水平面２７と矩形板１０上との４段を商品２の載置面とし、上段部材５の傾斜面３０と中段部材４の上方の傾斜面２８と下方の傾斜面２９とが別々に商品２の後ろ支えとし、且つ商品２のボリューム感を出している。図９に示すように、商品２が比較的小さく且つ陳列量も比較的多くて、ボリューム感も出す場合の陳列に使用される。
【００１７】
図１０は、図８の商品載置台６の中段部材４のみを、基台３の商品転落防止部１２側から遠ざけ、上段部材５の傾斜面３０と中段部材４の上方の傾斜面２８とがほぼ同一面にして、基台３上に係止したものである。従って、上段部材５の上面３２と中段部材４の水平面２７と矩形板１０上との３段を商品２の載置面とし、上段部材５の傾斜面３０及び中段部材４の上方の傾斜面２８が共同で、下方の傾斜面２９は単独で商品２の後ろ支えとし、且つ商品２のボリューム感を出している。これは、商品２が比較的大きく且つ陳列量も比較的多くて、ボリューム感も出す場合の陳列に使用される。なお、図１１は図１０の状態の商品載置台６を基台３の商品転落防止部１２側に向け引き寄せて、基台３上に係止したものであり、商品２が比較的大きいが陳列量が少ない場合や、売れて陳列量が減った場合で、且つボリューム感も出したい場合に使用される。
【００１８】
以上、本発明の実施形態を説明したが、具体的な構成はこれに限定されず、本発明の要旨を逸脱しない範囲での変更、追加は本発明の範囲内である。
【００１９】
【発明の効果】
以上詳述したように、請求項１の発明によれば、少なくとも一部に商品を陳列可能な基台上の任意位置に、中段部材及び上段部材で構成する商品載置台を係止部により位置決めすると共に係止し、中段部材及び上段部材はこれら同士並びに基台上に別々に位置決めし係止できるから、商品の特性やその陳列量に応じて、基台及び商品載置台の形状を変化させ整え、商品を載せその陳列量を調整可能である。従って、商品の多様化、頻繁な模様替えに対応可能であることに加え、商品の特性や商品量により陳列を極めて容易かつ多面的に変えることができ、商品のボリューム感の保持のための陳列替えが容易で、客の購買意欲を高いレベルに常に保持できる。また、中段部材はリバシブルに使用できるから、少ない部材で商品の多様化、頻繁な模様替えに対応可能である。更に、在庫管理も容易で保管スペースが採られることもない。
【００２１】
請求項２の発明によれば、上段部材の上面と中段部材の上面との差により生じた段差部により商品が見やすく且つ後ろ支えができる。従って、上記効果に加え、商品のボリューム感を出せるから、客の購買意欲を高いレベルで保持できる。
【図面の簡単な説明】
【図１】本発明の実施の形態である商品陳列調整台を示す斜視図である。
【図２】本発明の実施の形態である商品陳列調整台の分割状態を示す斜視図である。
【図３】本発明の実施の形態である商品陳列調整台の利用状態を示す斜視図である。
【図４】本発明の実施の形態である商品陳列調整台の他の利用状態を示す斜視図である。
【図５】本発明の実施の形態である商品陳列調整台の他の利用状態を示す斜視図である。
【図６】本発明の実施の形態である商品陳列調整台の他の利用状態を示す斜視図である。
【図７】本発明の実施の形態である商品陳列調整台の他の利用状態を示す斜視図である。
【図８】本発明の実施の形態である商品陳列調整台の他の利用状態を示す斜視図である。
【図９】本発明の実施の形態である商品陳列調整台の他の利用状態を示す斜視図である。
【図１０】本発明の実施の形態である商品陳列調整台の他の利用状態を示す斜視図である。
【図１１】本発明の実施の形態である商品陳列調整台の他の利用状態を示す斜視図である。
【符号の説明】
１、４０                  商品陳列調整台
２                        商品
３                        基台
４                        中段部材
５                        上段部材
６                        商品載置台
７、８、９                係止部
１０                      矩形板
１１、３５                線条
１２                      商品転落防止部
２０、２３                連続線条
２１、２４、３６          溝
２２、３２                上面
２５、２８、２９、３０、３１     傾斜面
２６                      段差部
２７                      水平面
３３                      上位底面
３４                      下位底面
【図１】
0004062589.tif 000002
【図２】
0004062589.tif 000003
【図３】
0004062589.tif 000004
【図４】
0004062589.tif 000005
【図５】
0004062589.tif 000006
【図６】
0004062589.tif 000007
【図７】
0004062589.tif 000008
【図８】
0004062589.tif 000009
【図９】
0004062589.tif 000010
【図１０】
0004062589.tif 000011
【図１１】
0004062589.tif 000012